(57)【特許請求の範囲】
【請求項１】
デジタル放送及びアナログ放送を受信可能な放送受信機において、
受信可能なチャンネルの物理チャンネルと仮想メインチャンネルと仮想サブチャンネルとを記憶する記憶手段と、
仮想メインチャンネルのみを入力することによりチャンネルを指定する第１チャンネル情報と、仮想メインチャンネルと仮想メインチャンネルと仮想サブチャンネルとを分離する所定の記号とを入力することによりチャンネルを指定する第２チャンネル情報と、仮想メインチャンネルと前記所定の記号と仮想サブチャンネルとして「０」とを入力することによりチャンネルを指定する第３チャンネル情報と、仮想メインチャンネルと前記所定の記号と仮想サブチャンネルとして「０」以外の数字とを入力することによりチャンネルを指定する第４チャンネル情報と、の入力を受け付けるキー入力手段と、
前記記憶手段を用いて、前記キー入力手段により入力された前記第１〜第４チャンネル情報に対応するチャンネルを決定する決定手段と、
を備え、
デジタル放送の前記チャンネルには、仮想メインチャンネルのみの指定により選局する１パートチャンネルと、仮想メインチャンネルと仮想サブチャンネルの指定により選局する２パートチャンネルとが含まれており、
前記決定手段は、
前記キー入力手段により、前記第１チャンネル情報又は前記第３チャンネル情報が入力された場合、前記２パートチャンネルよりも前記１パートチャンネルを優先的に選局するとともに、前記第２チャンネル情報又は前記第４チャンネル情報が入力された場合、前記１パートチャンネルよりも前記２パートチャンネルを優先的に選局することを特徴とする放送受信機。
【請求項２】
前記キー入力手段により入力された第１〜第４チャンネル情報に対応する仮想メインチャンネルが前記記憶手段に記憶されている場合には、当該対応する仮想メインチャンネルの物理チャンネルを、選局する物理チャンネルとして設定するとともに、前記キー入力手段により入力された第１〜第４チャンネル情報に対応する仮想メインチャンネルが前記記憶手段に記憶されていない場合には、前記キー入力手段により入力された第１〜第４チャンネル情報の仮想メインチャンネルを、選局する物理チャンネルとして設定する物理チャンネル設定手段と、
前記物理チャンネル設定手段により設定された物理チャンネルを選局し、取得したチャンネルの仮想メインチャンネルと仮想サブチャンネルに基づいて前記記憶手段を更新する更新手段と、
を備えることを特徴とする請求項１に記載の放送受信機。
【請求項３】
前記決定手段は、前記キー入力手段により前記第３チャンネル情報が入力された場合、デジタル放送のチャンネルよりもアナログ放送のチャンネルを優先的に選局することを特徴とする請求項１又は２に記載の放送受信機。
【請求項４】
デジタル放送及びアナログ放送を受信可能な放送受信機において、
受信可能なチャンネルの物理チャンネルと仮想メインチャンネルと仮想サブチャンネルとを記憶する記憶手段と、
仮想メインチャンネルのみを入力することによりチャンネルを指定する第１チャンネル情報と、仮想メインチャンネルと仮想メインチャンネルと仮想サブチャンネルとを分離する所定の記号とを入力することによりチャンネルを指定する第２チャンネル情報と、仮想メインチャンネルと前記所定の記号と仮想サブチャンネルとして「０」とを入力することによりチャンネルを指定する第３チャンネル情報と、仮想メインチャンネルと前記所定の記号と仮想サブチャンネルとして「０」以外の数字とを入力することによりチャンネルを指定する第４チャンネル情報と、の入力を受け付けるキー入力手段と、
前記キー入力手段により入力された第１〜第４チャンネル情報に対応する仮想メインチャンネルが前記記憶手段に記憶されている場合には、当該対応する仮想メインチャンネルの物理チャンネルを、選局する物理チャンネルとして設定するとともに、前記キー入力手段により入力された第１〜第４チャンネル情報に対応する仮想メインチャンネルが前記記憶手段に記憶されていない場合には、前記キー入力手段により入力された第１〜第４チャンネル情報の仮想メインチャンネルを、選局する物理チャンネルとして設定する物理チャンネル設定手段と、
前記物理チャンネル設定手段により設定された物理チャンネルを選局し、取得したチャンネルの仮想メインチャンネルと仮想サブチャンネルに基づいて前記記憶手段を更新する更新手段と、
前記更新手段により更新された前記記憶手段を用いて、前記キー入力手段により入力された前記第１〜第４チャンネル情報に対応するチャンネルを決定する決定手段と、
を備え、
デジタル放送の前記チャンネルには、仮想メインチャンネルのみの指定により選局する１パートチャンネルと、仮想メインチャンネルと仮想サブチャンネルの指定により選局する２パートチャンネルとが含まれており、
前記決定手段は、
前記キー入力手段により、前記第１チャンネル情報又は前記第３チャンネル情報が入力された場合、前記２パートチャンネルよりも前記１パートチャンネルを優先的に選局するとともに、前記第２チャンネル情報又は前記第４チャンネル情報が入力された場合、前記１パートチャンネルよりも前記２パートチャンネルを優先的に選局し、
前記キー入力手段により、前記第３チャンネル情報が入力された場合、デジタル放送のチャンネルよりもアナログ放送のチャンネルを優先的に選局することを特徴とする放送受信機。
【発明の詳細な説明】
【技術分野】
【０００１】
本発明は、デジタル放送及びアナログ放送を受信可能な放送受信機に関する。
【背景技術】
【０００２】
現在、テレビジョン放送のサービスは、デジタル放送とアナログ放送が混在しており、デジタル放送とアナログ放送の両方を受信する機能を備えた放送受信機が広く用いられている。このようなアナログ／デジタルの共用受信機では，希望のチャンネルを選局するための操作が煩雑となってしまい、より望ましいチャンネル選局方法が必要とされている。
【０００３】
例えば、特許文献１に開示されたチャンネル選択装置は、数値キーが操作されると、その数値キーに割り当てられているメインチャンネルと所定のサブチャンネルを選択し、引き続き所定時間内に同一の数値キーが操作された場合にこの入力をサブチャンネルの変更指示として受け付けることにより、一つの数値キーの操作によって任意のメインチャンネルとサブチャンネルの選択を可能とするものである。
特許文献２には、次の番号が入力される毎に、前に入力された番号を１桁ずつ左にずらして右端に次の番号を追加表示し、メインチャンネル番号の入力が終了すると、メインチャンネルとサブチャンネルを区切る記号を表示させ、サブチャンネル番号の入力が完了すると、入力されたチャンネルの放送に切り換えるデジタル放送受信機が提案されている。
【特許文献１】特開２００３−１８９１９９号公報
【特許文献２】特開２００２−３４４８２８号公報
【発明の開示】
【発明が解決しようとする課題】
【０００４】
ところで、地域によっては、デジタル放送のチャンネルとして、仮想メインチャンネルのみの指定により選局する１パートチャンネルと、仮想メインチャンネルと仮想サブチャンネルの指定により選局する２パートチャンネルとが混在している場合がある。このような放送受信環境では、上記特許文献１及び特許文献２を始めとする従来の放送受信機では、ユーザのチャンネル入力に対して適切な選局ができないという問題があった。
具体的に、デジタル放送のチャンネルとして１パートチャンネルと２パートチャンネルとが混在している放送受信環境の一例として、北米におけるケーブルテレビジョン放送が挙げられる。北米のケーブルテレビジョン放送では、デジタル放送の仮想チャンネルとして、一まとまりの数字から成る１パートチャンネル（例えば、「４５６」）と、二つの数字がハイフン等の記号により区切られて成る２パートチャンネル（例えば、「４５−６」）とが混在しており、ユーザにより仮想メインチャンネルが入力されただけでは、ユーザが、アナログ放送のチャンネルを選局したいのか、或いは、デジタル放送のチャンネルを選局したいのかを判別することができず、煩雑な操作が必要となったり、希望するチャンネル以外のチャンネルが選局されてしまう等、ユーザの希望するチャンネルの選局が好適に行われない。
【０００５】
本発明の課題は、ユーザの入力に対して、ユーザの希望するチャンネル選局をより好適に行うことができる放送受信機を提供することである。
【課題を解決するための手段】
【０００６】
上記課題を解決するため、請求項１に記載の発明は、デジタル放送及びアナログ放送を受信可能な放送受信機において、
受信可能なチャンネルの物理チャンネルと仮想メインチャンネルと仮想サブチャンネルとを記憶する記憶手段と、
仮想メインチャンネルのみを入力することによりチャンネルを指定する第１チャンネル情報と、仮想メインチャンネルと仮想メインチャンネルと仮想サブチャンネルとを分離する所定の記号とを入力することによりチャンネルを指定する第２チャンネル情報と、仮想メインチャンネルと前記所定の記号と仮想サブチャンネルとして「０」とを入力することによりチャンネルを指定する第３チャンネル情報と、仮想メインチャンネルと前記所定の記号と仮想サブチャンネルとして「０」以外の数字とを入力することによりチャンネルを指定する第４チャンネル情報と、の入力を受け付けるキー入力手段と、
前記記憶手段を用いて、前記キー入力手段により入力された前記第１〜第４チャンネル情報に対応するチャンネルを決定する決定手段と、
を備え、
デジタル放送の前記チャンネルには、仮想メインチャンネルのみの指定により選局する１パートチャンネルと、仮想メインチャンネルと仮想サブチャンネルの指定により選局する２パートチャンネルとが含まれており、
前記決定手段は、
前記キー入力手段により、前記第１チャンネル情報又は前記第３チャンネル情報が入力された場合、前記２パートチャンネルよりも前記１パートチャンネルを優先的に選局するとともに、前記第２チャンネル情報又は前記第４チャンネル情報が入力された場合、前記１パートチャンネルよりも前記２パートチャンネルを優先的に選局することを特徴とする。
【０００７】
請求項２に記載の発明は、請求項１に記載の放送受信機において、前記キー入力手段により入力された第１〜第４チャンネル情報に対応する仮想メインチャンネルが前記記憶手段に記憶されている場合には、当該対応する仮想メインチャンネルの物理チャンネルを、選局する物理チャンネルとして設定するとともに、前記キー入力手段により入力された第１〜第４チャンネル情報に対応する仮想メインチャンネルが前記記憶手段に記憶されていない場合には、前記キー入力手段により入力された第１〜第４チャンネル情報の仮想メインチャンネルを、選局する物理チャンネルとして設定する物理チャンネル設定手段と、
前記物理チャンネル設定手段により設定された物理チャンネルを選局し、取得したチャンネルの仮想メインチャンネルと仮想サブチャンネルに基づいて前記記憶手段を更新する更新手段と、
を備えることを特徴とする。
【０００８】
請求項３に記載の発明は、請求項１又は２に記載の放送受信機において、前記決定手段は、前記キー入力手段により前記第３チャンネル情報が入力された場合、デジタル放送のチャンネルよりもアナログ放送のチャンネルを優先的に選局することを特徴とする。
【０００９】
請求項４に記載の発明は、デジタル放送及びアナログ放送を受信可能な放送受信機において、
受信可能なチャンネルの物理チャンネルと仮想メインチャンネルと仮想サブチャンネルとを記憶する記憶手段と、
仮想メインチャンネルのみを入力することによりチャンネルを指定する第１チャンネル情報と、仮想メインチャンネルと仮想メインチャンネルと仮想サブチャンネルとを分離する所定の記号とを入力することによりチャンネルを指定する第２チャンネル情報と、仮想メインチャンネルと前記所定の記号と仮想サブチャンネルとして「０」とを入力することによりチャンネルを指定する第３チャンネル情報と、仮想メインチャンネルと前記所定の記号と仮想サブチャンネルとして「０」以外の数字とを入力することによりチャンネルを指定する第４チャンネル情報と、の入力を受け付けるキー入力手段と、
前記キー入力手段により入力された第１〜第４チャンネル情報に対応する仮想メインチャンネルが前記記憶手段に記憶されている場合には、当該対応する仮想メインチャンネルの物理チャンネルを、選局する物理チャンネルとして設定するとともに、前記キー入力手段により入力された第１〜第４チャンネル情報に対応する仮想メインチャンネルが前記記憶手段に記憶されていない場合には、前記キー入力手段により入力された第１〜第４チャンネル情報の仮想メインチャンネルを、選局する物理チャンネルとして設定する物理チャンネル設定手段と、
前記物理チャンネル設定手段により設定された物理チャンネルを選局し、取得したチャンネルの仮想メインチャンネルと仮想サブチャンネルに基づいて前記記憶手段を更新する更新手段と、
前記更新手段により更新された前記記憶手段を用いて、前記キー入力手段により入力された前記第１〜第４チャンネル情報に対応するチャンネルを決定する決定手段と、
を備え、
デジタル放送の前記チャンネルには、仮想メインチャンネルのみの指定により選局する１パートチャンネルと、仮想メインチャンネルと仮想サブチャンネルの指定により選局する２パートチャンネルとが含まれており、
前記決定手段は、
前記キー入力手段により、前記第１チャンネル情報又は前記第３チャンネル情報が入力された場合、前記２パートチャンネルよりも前記１パートチャンネルを優先的に選局するとともに、前記第２チャンネル情報又は前記第４チャンネル情報が入力された場合、前記１パートチャンネルよりも前記２パートチャンネルを優先的に選局し、
前記キー入力手段により、前記第３チャンネル情報が入力された場合、デジタル放送のチャンネルよりもアナログ放送のチャンネルを優先的に選局することを特徴とする。
【発明の効果】
【００１０】
本発明によれば、記憶手段により、受信可能なチャンネルの物理チャンネルと仮想メインチャンネルと仮想サブチャンネルとが記憶され、キー入力手段により、仮想メインチャンネルのみを入力することによりチャンネルを指定する第１チャンネル情報と、仮想メインチャンネルと仮想メインチャンネルと仮想サブチャンネルとを分離する所定の記号とを入力することによりチャンネルを指定する第２チャンネル情報と、仮想メインチャンネルと所定の記号と仮想サブチャンネルとして「０」とを入力することによりチャンネルを指定する第３チャンネル情報と、仮想メインチャンネルと所定の記号と仮想サブチャンネルとして「０」以外の数字とを入力することによりチャンネルを指定する第４チャンネル情報と、の入力が受け付けられ、決定手段により、記憶手段を用いて、キー入力手段により入力された第１〜第４チャンネル情報に対応するチャンネルが決定される。また、デジタル放送のチャンネルには、仮想メインチャンネルのみの指定により選局する１パートチャンネルと、仮想メインチャンネルと仮想サブチャンネルの指定により選局する２パートチャンネルとが含まれており、決定手段により、キー入力手段により、第１チャンネル情報又は第３チャンネル情報が入力された場合、２パートチャンネルよりも１パートチャンネルが優先的に選局されるとともに、第２チャンネル情報又は第４チャンネル情報が入力された場合、１パートチャンネルよりも２パートチャンネルが優先的に選局される。
即ち、キー入力手段により、仮想メインチャンネルのみが入力された場合、又は、仮想メインチャンネルと所定の記号と仮想サブチャンネルとして「０」が入力された場合には、デジタル放送の２パートチャンネルよりも１パートチャンネルの方をユーザが所望していると考えられるため、２パートチャンネルに対して１パートチャンネルが優先的に選局される。また、キー入力手段により、仮想メインチャンネルと所定の記号とが入力された場合、又は、仮想メインチャンネルと所定の記号と仮想サブチャンネルとして「０」以外の数字とが入力された場合、デジタル放送の１パートチャンネルよりも２パートチャンネルの方をユーザが所望していると考えられるため、１パートチャンネルに対して２パートチャンネルが優先的に選局されることとなる。したがって、ユーザの入力に対して、ユーザの希望するチャンネル選局をより好適に行うことができる放送受信機を提供することができる。
【発明を実施するための最良の形態】
【００１１】
以下、図面を参照しながら、本発明の実施の形態を詳細に説明する。
本実施形態では、例えば、デジタル放送のチャンネルとして、１パートチャンネルと２パートチャンネルとが混在している放送受信環境下でのケーブルテレビジョン放送を例に説明を行う。
【００１２】
本実施形態の放送受信機１００は、例えば、ケーブルデジタル放送と、ケーブルアナログ放送との共用受信機である。
具体的には、本実施形態の放送受信機１００は、例えば、ケーブル回線に接続され、ケーブルテレビジョン放送信号を受信する受信部１、デスクランブル処理を行うデスクランブラ部２、デコード処理を行うデコーダ部３、映像信号に対して所定の映像処理を行う映像処理部４、音声信号に対して所定の音声処理を行う音声処理部５、映像処理部４から表示部に入力される映像信号にＯＳＤデータを付加するＯＳＤ回路６、映像処理部４から入力される映像信号を出力する映像出力部７、音声処理部５により入力される音声信号を出力する音声出力部８、ユーザが各種指示を受信機本体に対して送信することにより、受信機本体を操作するためのリモートコントローラ等から成るキー入力部９、放送受信機１００全体を統括制御する制御部１０等を備えて構成されている。
【００１３】
受信部１は、ケーブル回線に接続され、入力されるケーブルテレビジョン放送信号から、選択されたチャンネルの放送信号を受信し、所定の復調方式（例えば、64QAM： Quadrature Amplitude Modulation, 256QAM, 8VSB: Vestigial Side Band）による復調処理や、誤り訂正処理等を実行し、トランスポートストリーム（TS）を生成して、デスクランブラ部２に出力する。
【００１４】
デスクランブラ部２は、例えば、ＰＯＤ(Point of Deployment)カード２１等のＩＣカードと接続される。ＰＯＤカード２１は、スクランブルを解除するための解除鍵を有しており、装置本体に対して着脱自在に設けられている。デスクランブラ部２は、受信部１から入力されるＴＳに対して、解除鍵を用いたデスクランブル処理を行い、スクランブルが解除されたＴＳをデコーダ部３に出力する。
【００１５】
デコーダ部３は、例えば、分離部３１、ビデオデコーダ３２、オーディオデコーダ３３、データデコーダ３４等を備える。
【００１６】
分離部３１は、デスクランブラ部２から入力されるＴＳを複数のストリームに分離する。ＴＳは、例えば、ＭＰＥＧ−２  Ｓｙｓｔｅｍｓ方式でビデオデータ、オーディオデータ、番組データ等が多重化されている。
ＴＳに多重化されて送られてくる番組データは、例えば、ＰＳＩＰ（Program and System Information Protocol）である。ＰＳＩＰは、例えば、現在時刻を記述するＳＴＴ（system time table）、ＳＴＴを除く他の全てのＰＳＩＰテーブルに関する情報（例えば、ＰＩＤ等）を記述するＭＧＴ（master guide table）、放送中又は放送予定の全ての仮想チャンネルのリストや、各仮想チャンネルの番号・名前を記述するＶＣＴ（virtual channel table）、仮想チャンネル内の放送予定番組の番組タイトルや技術情報を記述するＥＩＴ（event information table）、仮想チャンネルや番組の詳細情報を記述するＥＴＴ（extended text table）等の各種テーブルを含んで成る。ＶＣＴは、例えば、ケーブル放送用のＣＶＣＴ（cable VCT）であり、その他、経路選択ビット（path select bit）や、帯域内信号（in-band）／帯域外信号（out-of-band）の別を示すビットが含まれる。
ＣＰＵ１０１は、ＰＳＩＰに含まれるこれらの各種テーブルを解析することにより、分離したストリームの中から必要なＴＳパケットを取得して、ビデオストリームをビデオデコーダ３２に、オーディオストリームをオーディオデコーダ３３に、ＰＳＩＰ等のデータをデータデコーダ３４に出力する。
【００１７】
ビデオデコーダ３２は、分離部３１から入力されるＭＰＥＧ−2 Ｖｉｄｅｏ方式等で圧縮されたビデオストリームをデコードする。具体的には、ビデオデコーダ３２は、ビデオストリームに、可変長復号化、逆量子化、逆ＤＣＴ、動き補正等の各種処理を行うことで、ビデオストリームを所定のタイミングでデコードし、映像データを生成して映像処理部４に出力する。
オーディオデコーダ３３は、分離部３１から入力されるＤｏｌｂｙ  ＡＣ−３方式等で圧縮されたオーディオストリームをデコードし、音声データを生成して音声処理部５に出力する。
【００１８】
データデコーダ３４は、入力されたＰＳＩＰ等のデータをデコードし、制御部１０、ＯＳＤ回路６等に出力する。制御部１０に入力されたＰＳＩＰは図示しないＥＰＧメモリに格納され、ＥＰＧ情報としてユーザに提供されることとなる。
【００１９】
映像処理部４は、入力される映像データに対して各種映像処理を施し、映像信号を生成する。音声処理部５は、オーディオデコーダ３３から入力された音声データに対して、各種音声処理を施し、音声信号を生成する。生成された映像信号は映像出力部７に出力され、音声信号は音声出力部８に出力される。
【００２０】
ＯＳＤ回路６は、制御部１０からの指示出力に応じて、ＲＯＭ１０５に格納された図示しないＯＳＤデータを映像処理部４に入力される映像信号に合成する処理を行う。
【００２１】
映像出力部７は、例えば、ＬＣＤ（Liquid Crystal Display）、ＰＤＰ（Plasma Display Panel）等の表示画面を備え、映像処理部４から入力された映像信号に基づく映像を所定のタイミングで表示画面に表示させる。
音声出力部８は、例えば、スピーカ等を備え、音声処理部５から入力された音声信号に基づく音声をスピーカにより出力させる。
【００２２】
キー入力部９は、例えば、受信機本体を遠隔操作するためのリモートコントローラであり、複数のキーを備えて構成されている。キー入力部９では、ユーザによるキーの押下操作に応じて、押下されたキーに対応するリモートコントロール信号（以下、リモコン信号という。）が出力されるようになっている。
キー入力部９には、例えば、仮想メインチャンネル番号・仮想サブチャンネル番号を入力するためのテンキーや、仮想メインチャンネル及び仮想サブチャンネルを分離する所定の記号としてのハイフンを入力するためのハイフンキー、入力を確定するためのエンターキー等が備わり、後述するキー入力プログラム１０５ａの実行において、第１〜第４チャンネル情報の入力に用いられる。キー入力部９は、これにより、キー入力手段の一部を構成する。
【００２３】
制御部１０は、ＣＰＵ（Central Processing Unit）１０１、計時部１０２、ＲＡＭ（Random Access Memory）１０３、チャンネルメモリ１０４、ＲＯＭ（Read Only Memory）１０５等を備えて構成されている。
【００２４】
ＣＰＵ１０１は、受信機本体の各部から入力された入力信号や、キー入力部９におけるキー操作によって入力された入力操作信号等に応じて、ＲＯＭ１０５に格納された各種プログラムを実行するとともに、実行にかかるプログラムに基づいて受信機本体の各部に出力信号を出力することにより、放送受信機１００の動作全般を統括制御する。
【００２５】
ＲＡＭ１０３は、ＣＰＵ１０１のワークエリアとして用いられ、ＣＰＵ１０１によって各種プログラムが実行される際に生じる処理結果や、入力されたデータ等を記憶する。
【００２６】
チャンネルメモリ１０４は、例えば、ＥＰＲＯＭ（Erasable Programmable ROM）等の不揮発性メモリから構成され、本放送受信機１００において受信可能なデジタル放送及びアナログ放送のチャンネルのチャンネルマップ（ＣｈＭａｐ）を記憶する。
チャンネルメモリ１０４のチャンネルマップにおいて、デジタル放送のチャンネルは、例えば、図２に示すように、物理チャンネル（physical channel）と、当該物理チャンネルに対応する仮想チャンネルである仮想メインチャンネル（virtual main channel, major channel）及び仮想サブチャンネル（virtual sub channel, minor channel）とが、１パートチャンネル（1 part channel）であるか、或いは、２パートチャンネル(2 part channel)であるかの分類とともに対応づけられて記憶されている。
チャンネルメモリ１０４は、これにより、記憶手段としての機能を果たす。
【００２７】
ここで、物理チャンネルとは、受信部１が選局を行う実際の周波数帯域に対応付けられたチャンネル番号である。各物理チャンネルは、例えば、６ＭＨｚの帯域幅の周波数に対応付けられている。
また、デジタル放送における仮想メインチャンネルは、テレビジョン放送局やユーザの認識するチャンネル番号であり、各々が物理チャンネルに対応付けられている。更に、デジタル放送における各仮想メインチャンネルは、論理チャンネルである仮想サブチャンネルを複数含むことができる。
【００２８】
ＲＯＭ１０５は、プログラム格納エリアを備え、例えば、キー入力プログラム１０５ａ、物理チャンネル設定プログラム１０５ｂ、更新プログラム１０５ｃ、決定プログラム１０５ｄ等を格納している。
【００２９】
キー入力プログラム１０５ａは、例えば、ＣＰＵ１０１に、仮想メインチャンネルのみを入力することによりチャンネルを指定する第１チャンネル情報と、仮想メインチャンネルと、仮想メインチャンネルと仮想サブチャンネルとを分離する所定の記号と、を入力することによりチャンネルを指定する第２チャンネル情報と、仮想メインチャンネルと所定の記号と仮想サブチャンネルとして「０」とを入力することによりチャンネルを指定する第３チャンネル情報と、仮想メインチャンネルと所定の記号と仮想サブチャンネルとして「０」以外の数字とを入力することによりチャンネルを指定する第４チャンネル情報と、の入力を受け付ける機能を実現させるためのプログラムである。
ＣＰＵ１０１は、かかるキー入力プログラム１０５ａを実行することにより、キー入力部９とともにキー入力手段として機能する。
【００３０】
ここで、キー入力プログラム１０５ａの実行において、キー入力部９を用いてユーザにより入力される第１〜第４チャンネル情報の具体例について説明する。
なお、以下の説明では、第１チャンネル情報の入力によりチャンネルを指定する方法を「Ｎｕｌｌ選局」、第２チャンネル情報の入力によりチャンネルを指定する方法を「Ｘ選局」、第３チャンネル情報の入力によりチャンネルを指定する方法を「「０」選局」、第４チャンネル情報の入力によりチャンネルを指定する方法を「Ｓｕｂ指定選局」と称する。
【００３１】
第１に、Ｎｕｌｌ選局では、第１チャンネル情報として、仮想メインチャンネル「８」のみが入力され、エンターキーの押下によりキー入力（即ち、「８」）が確定する。
第２に、Ｘ選局では、第２チャンネル情報として、仮想メインチャンネル「８」と、ハイフン「−」（仮想メインチャンネルと仮想サブチャンネルとを分離する所定の記号）と、が入力され、エンターキーの押下によりキー入力（即ち、「８−」）が確定する。
第３に、「０」選局では、第３チャンネル情報として、仮想メインチャンネル「８」と、ハイフン「−」と、仮想サブチャンネル「０」と、が入力され、エンターキーの押下によりキー入力（即ち、「８−０」）が確定する。
第４に、Ｓｕｂ指定選局では、第４チャンネル情報として、仮想メインチャンネル「８」と、ハイフン「−」と、仮想サブチャンネルとして「０」以外の数字（例えば、「１」）と、が入力され、エンターキーの押下によりキー入力（即ち、「８−１」）が確定する。
【００３２】
物理チャンネル設定プログラム１０５ｂは、例えば、ＣＰＵ１０１に、キー入力プログラム１０５ａの実行により入力された第１〜第４チャンネル情報に対応する仮想メインチャンネルがチャンネルメモリ１０４（記憶手段）により記憶されている場合には、当該対応する仮想メインチャンネルの物理チャンネルを、選局する物理チャンネルとして設定するとともに、キー入力プログラム１０５ａの実行により入力された第１〜第４チャンネル情報に対応する仮想メインチャンネルがチャンネルメモリ１０４に記憶されていない場合には、キー入力プログラム１０５ａの実行により入力された第１〜第４チャンネル情報の仮想メインチャンネルを、選局する物理チャンネルとして設定する機能を実現させるためのプログラムである。
ＣＰＵ１０１は、かかる物理チャンネル設定プログラム１０５ｂを実行することにより、物理チャンネル設定手段として機能する。
【００３３】
ここで、第１〜第４チャンネル情報の各々の入力に応じて物理チャンネルを設定する物理チャンネル決定処理について説明する。
【００３４】
第１に、図３のフローチャートを参照しながら、Ｎｕｌｌ選局により第１チャンネル情報（例えば、「８」）が入力された場合に実行される物理チャンネル決定処理について説明する。
【００３５】
まず、ステップＳ１において、ＣＰＵ１０１は、物理チャンネルＰ＝仮想メインチャンネルＶＭ＝ユーザの入力したメインチャンネルＵＭのアナログ放送チャンネル（ＮＴＳＣ  Ｃｈ）が、チャンネルメモリ１０４のチャンネルマップ（ＣｈＭａｐ）に有るか否かを判断する。ＣＰＵ１０１は、Ｐ＝ＶＭ＝ＵＭのアナログ放送チャンネルがチャンネルマップに有ると判断すると（ステップＳ１；Ｙｅｓ）、ステップＳ２に進み、無いと判断すると（ステップＳ１；Ｎｏ）、ステップＳ３に進む。
【００３６】
ステップＳ２において、ＣＰＵ１０１は、仮想メインチャンネルＶＭ＝ユーザの入力したメインチャンネルＵＭを、選局する物理チャンネルＰとして設定する。また、仮想サブチャンネルＶＳを「０」（即ち、アナログ放送）とする。更に、物理チャンネル決定後の選局チャンネル決定処理（以下、物理チャンネル決定後の選局チャンネル決定処理を「ＴＳＭ」と称する）を「ＮＡ」（後述）と決定して、本処理を終了する。
【００３７】
ステップＳ３において、ＣＰＵ１０１は、仮想メインチャンネルＶＭ＝ユーザの入力したメインチャンネルＵＭの１パートチャンネル（１  Ｐａｒｔ  Ｃｈ）がチャンネルメモリ１０４のチャンネルマップに有るか否かを判断する。ＣＰＵ１０１は、ＶＭ＝ＵＭの１パートチャンネルがチャンネルマップに有ると判断すると（ステップＳ３；Ｙｅｓ）、ステップＳ４に進み、無いと判断すると（ステップＳ３；Ｎｏ）、ステップＳ５に進む。
【００３８】
ステップＳ４において、ＣＰＵ１０１は、仮想メインチャンネルＶＭ＝ユーザの入力したメインチャンネルＵＭを持つ最小の物理チャンネルＰを、選局する物理チャンネルＰとして設定する。例えば、ユーザによりＵＭとして「８」が入力された場合における具体例を、図２のチャンネルマップを参照しながら説明する。図２のチャンネルマップには、ＶＭ＝ＵＭ「８」のチャンネルとして、デジタル放送の仮想メインチャンネルＶＭ「８」と、アナログ放送の仮想メインチャンネルＶＭ「８」が存在しており、デジタル放送の仮想メインチャンネルＶＭに対応する物理チャンネルＰは「５」であり、アナログ放送の仮想メインチャンネルＶＭに対応する物理チャンネルＰは「８」である。したがって、ＣＰＵ１０１は、ＶＭ＝ＵＭを持つ最小の物理チャンネル「５」を、選局する物理チャンネルＰとして設定する。また、ＣＰＵ１０１は、ユーザの入力したメインチャンネルＵＭを、仮想メインチャンネルＶＭとして設定する。また、仮想サブチャンネルＶＳを、１パートチャンネルであるとして設定しない。更に、ＴＳＭを「Ａ」（後述）と決定して、本処理を終了する。
【００３９】
ステップＳ５において、ＣＰＵ１０１は、ユーザの入力したメインチャンネルＶＭ＝メインチャンネルＵＭの２パートチャンネル（２  Ｐａｒｔ  Ｃｈ）がチャンネルメモリ１０４のチャンネルマップに有るか否かを判断する。ＣＰＵ１０１は、ＶＭ＝ＵＭの２パートチャンネルがチャンネルマップに有ると判断すると（ステップＳ５；Ｙｅｓ）、ステップＳ６に進み、無いと判断すると（ステップＳ５；Ｎｏ）、ステップＳ７に進む。
【００４０】
ステップＳ６において、ＣＰＵ１０１は、仮想メインチャンネルＶＭ＝ユーザの入力したメインチャンネルＵＭを持つ最小の物理チャンネルＰを、選局する物理チャンネルＰとして設定する。また、ユーザの入力したメインチャンネルＵＭを、仮想メインチャンネルＶＭとして設定する。また、当該仮想メインチャンネルＶＭ内に含まれる最小の仮想サブチャンネルＶＳを、仮想サブチャンネルＶＳとして設定する。例えば、ユーザによりＵＭとして「８」が入力された場合における具体例を、図２のチャンネルマップを参照しながら説明する。図２のチャンネルマップには、ＶＭ＝ＵＭ「８」の２パートチャンネルが存在しており、ＶＭ「８」の仮想サブチャンネルＶＳとして、「１」「２」「３」が存在する。したがって、ＣＰＵ１０１は、ＶＭ「８」に含まれる最小の仮想サブチャンネル「１」を、仮想サブチャンネルＶＳとして設定する。更に、ＴＳＭを「ＡＮ」（後述）と決定して、本処理を終了する。
【００４１】
ステップＳ７において、ＣＰＵ１０１は、ユーザの入力したメインチャンネルＵＭを、選局する物理チャンネルＰとして設定する。例えば、ユーザによりＵＭとして「１３」が入力された場合における具体例を、図２のチャンネルマップを参照しながら説明する。図２のチャンネルマップには、ＶＭ＝ＵＭ「１３」の２パートチャンネルが存在しない。したがって、ＣＰＵ１０１は、ＵＭ「１３」を、選局する物理チャンネルＰとして設定する。また、ＣＰＵ１０１は、仮想サブチャンネルＶＳを「０」（即ち、アナログ放送）とする。更に、ＴＳＭを「ＮＡ」と決定して、本処理を終了する。
【００４２】
第２に、図４のフローチャートを参照しながら、Ｘ選局により第２チャンネル情報（例えば、「８−」）が入力された場合に実行される物理チャンネル決定処理について説明する。
【００４３】
まず、ステップＳ１１において、ＣＰＵ１０１は、仮想メインチャンネルＶＭ＝ユーザの入力したメインチャンネルＵＭの２パートチャンネルがチャンネルメモリ１０４のチャンネルマップ（ＣｈＭａｐ）に有るか否かを判断する。ＣＰＵ１０１は、ＵＭ＝ＶＭの２パートチャンネルがチャンネルマップに有ると判断すると（ステップＳ１１；Ｙｅｓ）、ステップＳ１２に進み、無いと判断すると（ステップＳ１１；Ｎｏ）、ステップＳ１３に進む。
【００４４】
ステップＳ１２において、ＣＰＵ１０１は、仮想メインチャンネルＶＭ＝ユーザの入力したメインチャンネルＵＭを持つ最小の物理チャンネルＰを、選局する物理チャンネルＰとして設定する。また、ユーザの入力したメインチャンネルＵＭを、仮想メインチャンネルＶＭとして設定する。また、当該仮想メインチャンネルＶＭ内に含まれる最小の仮想サブチャンネルＶＳを、仮想サブチャンネルＶＳとして設定する。更に、ＴＳＭを「ＡＮ」と決定して、本処理を終了する。
【００４５】
ステップＳ１３において、ＣＰＵ１０１は、仮想メインチャンネルＶＭ＝ユーザの入力したメインチャンネルＵＭの１パートチャンネルがチャンネルメモリ１０４のチャンネルマップに有るか否かを判断する。ＣＰＵ１０１は、ＶＭ＝ＵＭの１パートチャンネルがチャンネルマップに有ると判断すると（ステップＳ１３；Ｙｅｓ）、ステップＳ１４に進み、チャンネルマップに無いと判断すると（ステップＳ１３；Ｎｏ）、ステップＳ１５に進む。
【００４６】
ステップＳ１４において、ＣＰＵ１０１は、仮想メインチャンネルＶＭ＝ユーザの入力したメインチャンネルＵＭを持つ最小の物理チャンネルＰを、選局する物理チャンネルＰとして設定する。また、ユーザの入力したメインチャンネルＵＭを、仮想メインチャンネルＶＭとして設定する。また、仮想サブチャンネルＶＳを１パートチャンネルであるとして設定しない。更に、ＴＳＭを「ＡＮ」と決定して、本処理を終了する。
【００４７】
ステップＳ１５において、ＣＰＵ１０１は、ユーザの入力したメインチャンネルＵＭを、選局する物理チャンネルＰとして設定する。また、仮想サブチャンネルＶＳを、「Ｘ」（未決定）とする。更に、ＴＳＭを「ＡＮ」と決定して、本処理を終了する。
【００４８】
第３に、図５のフローチャートを参照しながら、「０」選局により第３チャンネル情報（例えば、「８−０」）が入力された場合に実行される物理チャンネル決定処理について説明する。
【００４９】
まず、ステップＳ２１において、ＣＰＵ１０１は、仮想メインチャンネルＶＭ＝ユーザの入力したメインチャンネルＵＭの１パートチャンネルがチャンネルメモリ１０４のチャンネルマップに有るか否かを判断する。ＣＰＵ１０１は、ＶＭ＝ＵＭの１パートチャンネルがチャンネルマップに有ると判断すると（ステップＳ２１；Ｙｅｓ）、ステップＳ２２に進み、チャンネルマップに無いと判断すると（ステップＳ２１；Ｎｏ）、ステップＳ２３に進む。
【００５０】
ステップＳ２２において、ＣＰＵ１０１は、仮想メインチャンネルＶＭ＝ユーザの入力したメインチャンネルＵＭを、選局する物理チャンネルＰとして設定する。また、仮想サブチャンネルＶＳを「０」（即ち、アナログ放送）とする。更に、ＴＳＭを「ＮＡ」と決定して、本処理を終了する。
【００５１】
ステップＳ２３において、ＣＰＵ１０１は、ユーザの入力したメインチャンネルＵＭを、選局する物理チャンネルＰとして設定する。また、仮想サブチャンネルＶＳを「０」（即ち、アナログ放送）とする。更に、ＴＳＭを「Ｎ」(後述)と決定して、本処理を終了する。
【００５２】
第４に、図６のフローチャートを参照しながら、Ｓｕｂ指定選局により第４チャンネル情報（例えば、「８−１」）が入力された場合に実行される物理チャンネル決定処理について説明する。
【００５３】
まず、ステップＳ３１において、ＣＰＵ１０１は、仮想メインチャンネルＶＭ＝ユーザの入力したメインチャンネルＵＭの２パートチャンネルがチャンネルメモリ１０４のチャンネルマップに有るか否かを判断する。ＣＰＵ１０１は、ＶＭ＝ＵＭの２パートチャンネルがチャンネルマップに有ると判断すると（ステップＳ３１；Ｙｅｓ）、ステップＳ３２に進み、無いと判断すると（ステップＳ３１；Ｎｏ）、ステップＳ３５に進む。
【００５４】
ステップＳ３２において、ＣＰＵ１０１は、仮想サブチャンネルＶＳ＝ユーザの入力したサブチャンネルＵＳの２パートチャンネルがチャンネルメモリ１０４のチャンネルマップに有るか否かを判断する。ＣＰＵ１０１は、ＶＳ＝ＵＳの２パートチャンネルがチャンネルマップに有ると判断すると（ステップＳ３２；Ｙｅｓ）、ステップＳ３３に進み、無いと判断すると（ステップＳ３２；Ｎｏ）、ステップＳ３４に進む。
【００５５】
ステップＳ３３において、ＣＰＵ１０１は、仮想メインチャンネルＶＭ＝ユーザの入力したメインチャンネルＵＭを持つ最小の物理チャンネルＰを、選局する物理チャンネルＰとして設定する。また、ユーザの入力したメインチャンネルＵＭを、仮想メインチャンネルＶＭとして設定する。また、ユーザの入力したサブチャンネルＵＳを、仮想サブチャンネルＶＳとして設定する。更に、ＴＳＭを「Ａ」と決定して、本処理を終了する。
【００５６】
ステップＳ３４において、ＣＰＵ１０１は、仮想メインチャンネルＶＭ＝ユーザの入力したメインチャンネルＵＭを持つ最小の物理チャンネルＰを、選局する物理チャンネルＰとして設定する。また、ユーザの入力したメインチャンネルＵＭを、仮想メインチャンネルＶＭとして設定する。また、ユーザの入力したサブチャンネルＵＳを、仮想サブチャンネルＶＳとして設定する。更に、ＴＳＭを「ＢＡ」（後述）と決定して、本処理を終了する。
【００５７】
ステップＳ３５において、ＣＰＵ１０１は、ユーザの入力したメインチャンネルＵＭを、選局する物理チャンネルＰとして設定する。また、ユーザの入力したサブチャンネルＵＳを、仮想サブチャンネルＶＳとして設定する。更に、ＴＳＭを「ＢＡ」と決定して、本処理を終了する。
【００５８】
更新プログラム１０５ｃは、例えば、ＣＰＵ１０１に、物理チャンネル設定プログラム１０５ｂの実行により設定された物理チャンネルを選局し、取得したチャンネルの仮想メインチャンネルと仮想サブチャンネルに基づいてチャンネルメモリ１０４（記憶手段）を更新する機能を実現させるためのプログラムである。
具体的には、ＣＰＵ１０１は、前述した物理チャンネル設定プログラム１０５ｂの実行において、選局する物理チャンネルが設定されると、受信部１に選局指示を出力して、当該物理チャンネルのデジタル放送又はアナログ放送を選局させる。そして、例えば、選局した物理チャンネルの放送信号（デジタル放送信号）に多重化されたＰＳＩＰを解析してＶＣＴを抽出し、獲得したＶＣＴに基づいて、チャンネルメモリ１０４のチャンネルマップに無いチャンネルを、当該チャンネルマップに追加する。
図７は、更新プログラム１０５ｃの実行において、物理チャンネルを選局することにより取得したＶＣＴの例示である。図７のＶＣＴには、例えば、図２のチャンネルメモリ１０４に記憶されていないチャンネルが含まれており、これらのチャンネルがチャンネルメモリ１０４に追加され、チャンネルメモリ１０４が更新される。図８は、図７のＶＣＴに基づいて更新されたチャンネルメモリ１０４を例示する図である。
ＣＰＵ１０１は、かかる更新プログラム１０５ｃを実行することにより，更新手段として機能する。
【００５９】
決定プログラム１０５ｄは、例えば、ＣＰＵ１０１に、更新プログラム１０５ｃの実行により更新されたチャンネルメモリ１０４（記憶手段）を用いて、キー入力プログラム１０５ａの実行により入力された第１〜第４チャンネル情報に対応するチャンネルを決定する機能を実現させるためのプログラムである。決定プログラム１０５ｄの実行において、ＣＰＵ１０１は、キー入力プログラム１０５ａの実行により、第１チャンネル情報又は第３チャンネル情報が入力された場合、２パートチャンネルよりも１パートチャンネルを優先的に選局するとともに、第２チャンネル情報又は第４チャンネル情報が入力された場合、１パートチャンネルよりも２パートチャンネルを優先的に選局する。また、第３チャンネル番号が入力された場合、デジタル放送のチャンネルよりもアナログ放送のチャンネルを優先的に選局する機能を実現する。
ＣＰＵ１０１は、かかる決定プログラム１０５ｄを実行することにより、決定手段として機能する。
【００６０】
ここで、決定プログラム１０５ｄの実行において、物理チャンネル決定処理において決定された各ＴＳＭを用いて、第１〜第４チャンネル情報及びチャンネルメモリ１０４に基づいて、選局する仮想チャンネルを決定する選局チャンネル決定処理について説明する。
【００６１】
第１に、図９のフローチャートを参照しながら、ＴＳＭが「Ｎ」である場合に実行される選局チャンネル決定処理について説明する。
【００６２】
まず、ステップＳ４１において、ＣＰＵ１０１は、指定された物理チャンネルＰで、アナログ放送信号（ＮＴＳＣ信号）が受信可能であるか否かを判断する。ＣＰＵ１０１は、ステップＳ４１において、指定された物理チャンネルＰでアナログ放送が受信可能であると判断すると（ステップＳ４１；Ｙｅｓ）、ステップＳ４２に進み、受信可能でないと判断すると（ステップＳ４１；Ｎｏ）、ステップＳ４３に進む。
【００６３】
ステップＳ４２において、ＣＰＵ１０１は、指定された物理チャンネルＰで受信するアナログ放送信号のチャンネルを選局するチャンネルと決定し、本処理を終了する。
ステップＳ４３において、ＣＰＵ１０１は、「Ｎｏ  Ｓｉｇｎａｌ」状態とし、本処理を終了する。
【００６４】
第２に、図１０のフローチャートを参照しながら、ＴＳＭが「Ａ」である場合に実行される選局チャンネル決定処理について説明する。
【００６５】
まず、ステップＳ５１において、ＣＰＵ１０１は、指定された物理チャンネルＰ、指定された仮想メインチャンネルＶＭ（即ち、ユーザの入力したメインチャンネルＵＭ）、指定された仮想サブチャンネルＶＳ（即ち、ユーザの入力したサブチャンネルＵＳ）のデジタル放送信号（ＡＴＳＣ信号）が受信可能であるか否かを判断する。ＣＰＵ１０１は、ステップＳ５１において、指定された物理チャンネルＰ、指定された仮想メインチャンネルＶＭ（＝ＵＭ）、指定された仮想サブチャンネルＶＳ（＝ＵＳ）のデジタル放送信号が受信可能であると判断すると（ステップＳ５１；Ｙｅｓ）、ステップＳ５２に進み、受信可能でないと判断すると（ステップＳ５１；Ｎｏ）、ステップＳ５３に進む。
【００６６】
ステップＳ５２において、ＣＰＵ１０１は、指定された物理チャンネルＰ、指定された仮想メインチャンネルＶＭ（＝ＵＭ）、指定された仮想サブチャンネルＶＳ（＝ＵＳ）で受信するデジタル放送信号のチャンネルを選局するチャンネルとして決定し、本処理を終了する。
ステップＳ５３において、ＣＰＵ１０１は、「Ｎｏ  Ｓｉｇｎａｌ」状態とし、本処理を終了する。
【００６７】
第３に、図１１のフローチャートを参照しながら、ＴＳＭが「ＮＡ」である場合に実行される選局チャンネル決定処理について説明する。
【００６８】
まず、ステップＳ６１において、ＣＰＵ１０１は、指定された物理チャンネルＰでアナログ放送信号（ＮＴＳＣ信号）が受信可能であるか否かを判断する。ＣＰＵ１０１は、ステップＳ６１において、指定された物理チャンネルＰでアナログ放送信号が受信可能であると判断すると（ステップＳ６１；Ｙｅｓ）、ステップＳ６２に進み、受信可能でないと判断すると（ステップＳ６１；Ｎｏ）、ステップＳ６３に進む。
【００６９】
ステップＳ６２において、ＣＰＵ１０１は，指定された物理チャンネルＰで受信するアナログ放送信号のチャンネルに決定し、本処理を終了する。
【００７０】
ステップＳ６３において、ＣＰＵ１０１は、チャンネルメモリ１０４のチャンネルマップに、仮想メインチャンネルＶＭ＝ユーザの入力したメインチャンネルＵＭの、仮想メインチャンネルＶＭが有るか否かを判断する。ＣＰＵ１０１は、ステップＳ６３において、ＶＭ＝ＵＭのＶＭがチャンネルマップに有ると判断すると（ステップＳ６３；Ｙｅｓ）、ステップＳ６４に進み、無いと判断すると（ステップＳ６３；Ｎｏ）、ステップＳ６７に進む。
ステップＳ６４において、ＣＰＵ１０１は、チャンネルマップに、仮想サブチャンネルＶＳ＝ユーザの入力したサブチャンネルＵＳの１パートチャンネルが有るか否かを判断する。ＣＰＵ１０１は、ステップＳ６４において、ＶＳ＝ＵＳの１パートチャンネルが有ると判断すると（ステップＳ６４；Ｙｅｓ）、ステップＳ６５に進み、無いと判断すると（ステップＳ６５；Ｎｏ）、ステップＳ６６に進む。
【００７１】
ステップＳ６５において、ＣＰＵ１０１は、指定された仮想メインチャンネルＶＭ（即ち、ユーザの入力したメインチャンネルＵＭ）を、選局する仮想メインチャンネルＶＭと決定するとともに、仮想サブチャンネルＶＳを１パートであるとして設定せず、本処理を終了する。
ステップＳ６６において、ＣＰＵ１０１は、指定された仮想メインチャンネルＶＭ（即ち、ユーザの入力したメインチャンネルＵＭ）を、選局する仮想メインチャンネルＶＭと決定するとともに、当該ＶＭで受信するＴＳ内の最小の仮想サブチャンネルＶＳを、選局する仮想サブチャンネルＶＳと決定し、本処理を終了する。
【００７２】
ステップＳ６７において、ＣＰＵ１０１は、受信するＴＳに１パートチャンネルが有るか否かを判断する。ＣＰＵ１０１は、受信ＴＳに１パートチャンネルが有ると判断すると（ステップＳ６７；Ｙｅｓ）、ステップＳ６８に進み、無いと判断すると（ステップＳ６７；Ｎｏ）、ステップＳ６９に進む。
【００７３】
ステップＳ６８において、ＣＰＵ１０１は、受信するＴＳ内の最小の仮想メインチャンネルＶＭを、選局する仮想メインチャンネルＶＭと決定するとともに、仮想サブチャンネルＶＳを１パートであるとして設定せず、本処理を終了する。
ステップＳ６９において、ＣＰＵ１０１は、受信するＴＳ内の最小の仮想メインチャンネルＶＭを、選局する仮想メインチャンネルＶＭと決定するとともに、当該ＶＭで受信するＴＳ内の最小の仮想サブチャンネルＶＳを、選局する仮想サブチャンネルＶＳと決定し、本処理を終了する。
【００７４】
第４に、図１２のフローチャートを参照しながら、ＴＳＭが「ＡＮ」である場合に実行される選局チャンネル決定処理について説明する。
【００７５】
まず，ステップＳ７１において、ＣＰＵ１０１は、チャンネルメモリ１０４のチャンネルマップに、仮想メインチャンネルＶＭ＝ユーザの入力したメインチャンネルＵＭの、仮想メインチャンネルＶＭが有るか否かを判断する。ＣＰＵ１０１は、ステップＳ７１において、チャンネルマップにＶＭ＝ＵＭのＶＭが有ると判断すると（ステップＳ７１；Ｙｅｓ）、ステップＳ７２に進み、無いと判断すると（ステップＳ７１；Ｎｏ）、ステップＳ７５に進む。
ステップＳ７２において、ＣＰＵ１０１は、チャンネルマップに、仮想サブチャンネルＶＳ＝ユーザの入力したサブチャンネルＵＳの２パートチャンネルが有るか否かを判断する。ＣＰＵ１０１は、ステップＳ７２において、ＶＳ＝ＵＳの２パートチャンネルが有ると判断すると（ステップＳ７２；Ｙｅｓ）、ステップＳ７３に進み、無いと判断すると（ステップＳ７２；Ｎｏ）、ステップＳ７４に進む。
【００７６】
ステップＳ７３において、ＣＰＵ１０１は、指定された仮想メインチャンネルＶＭ（即ち、ユーザの入力したメインチャンネルＵＭ）を、選局する仮想メインチャンネルＶＭと決定するとともに、当該ＶＭで受信するＴＳ内の最小の仮想サブチャンネルＶＳを、選局する仮想サブチャンネルＶＳと決定し、本処理を終了する。
ステップＳ７４において、ＣＰＵ１０１は、指定された仮想メインチャンネルＶＭ（即ち、ユーザの入力したメインチャンネルＵＭ）を、選局する仮想メインチャンネルＶＭと決定するとともに、仮想サブチャンネルＶＳを１パートであるとして設定せず、本処理を終了する。
【００７７】
ステップＳ７５において、ＣＰＵ１０１は、受信するＴＳに１パートチャンネルが有るか否かを判断する。ＣＰＵ１０１は、受信ＴＳに１パートチャンネルが有ると判断すると（ステップＳ７５；Ｙｅｓ）、ステップＳ７６に進み、無いと判断すると（ステップＳ７５；Ｎｏ）、ステップＳ７７に進む。
【００７８】
ステップＳ７６において、ＣＰＵ１０１は、受信するＴＳ内の最小の仮想メインチャンネルＶＭを、選局する仮想メインチャンネルＶＭと決定するとともに、仮想サブチャンネルＶＳを１パートであるとして設定せず、本処理を終了する。例えば、物理チャンネルＰ「１８」を選局してＴＳを受信する場合における具体例を、図８のチャンネルマップを参照しながら説明する。図８のチャンネルマップにおいて、物理チャンネルＰ「１８」で受信するＴＳに含まれる１パートチャンネルの最小仮想メインチャンネルＶＭは「１３」である。したがって、ＣＰＵ１０１は、仮想メインチャンネルＶＭ「１３」を、選局する１パートチャンネルの仮想メインチャンネルＶＭと決定する。
ステップＳ７７において、ＣＰＵ１０１は、受信するＴＳ内の最小の仮想メインチャンネルＶＭを、選局する仮想メインチャンネルＶＭと決定するとともに、当該仮想メインチャンネルＶＭで受信するＴＳ内の最小の仮想サブチャンネルＶＳを、選局する仮想サブチャンネルＶＳと決定して、本処理を終了する。例えば、物理チャンネルＰ「１８」を選局してＴＳを受信する場合における具体例を、図８のチャンネルマップ（仮に、ＶＭ「１３」の１パートチャンネルが無い場合）を参照しながら説明する。図８のチャンネルマップにおいて、物理チャンネルＰ「１８」で受信するＴＳに含まれる２パートチャンネルの最小仮想メインチャンネルＶＭは「１２」であり、ＶＭ「１２」の仮想サブチャンネルＶＳとして、「１」が存在する。したがって、ＣＰＵ１０１は、仮想メインチャンネルＶＭ「１２」を、選局する２パートチャンネルの仮想メインチャンネルＶＭと決定するとともに、ＶＭ「１２」に含まれる最小の仮想サブチャンネルＶＳ「１」を、選局する２パートチャンネルの仮想サブチャンネルＶＳと決定する。
【００７９】
第５に、図１３及び図１４のフローチャートを参照しながら、ＴＳＭが「ＢＡ」である場合に実行される選局チャンネル決定処理について説明する。
【００８０】
まず、ステップＳ８１において、ＣＰＵ１０１は、チャンネルメモリ１０４のチャンネルマップに、仮想メインチャンネルＶＭ＝ユーザの入力したメインチャンネルＵＭの、仮想メインチャンネルＶＭが有るか否かを判断する。ＣＰＵ１０１は、ステップＳ８１において、チャンネルマップにＶＭ＝ＵＭのＶＭが有ると判断すると（ステップＳ８１；Ｙｅｓ）、ステップＳ８２に進み、無いと判断すると（ステップＳ８１；Ｎｏ）、ステップＳ８７に進む。
【００８１】
ステップＳ８２において、ＣＰＵ１０１は、チャンネルマップに、仮想サブチャンネルＶＳ＝ユーザの入力したサブチャンネルＵＳの、仮想サブチャンネルＶＳが有るか否かを判断する。ＣＰＵ１０１は、ステップＳ８２において、ＶＳ＝ＵＳのＶＳが有ると判断すると（ステップＳ８２；Ｙｅｓ）、ステップＳ８３に進み、無いと判断すると（ステップＳ８２；Ｎｏ）、ステップＳ８４に進む。
【００８２】
ステップＳ８４において、ＣＰＵ１０１は、受信するＴＳの最小の仮想メインチャンネルＶＭに１パートチャンネルが有るか否かを判断する。ＣＰＵ１０１は、ステップＳ８４において、受信ＴＳの最小の仮想メインチャンネルＶＭに１パートチャンネルが有ると判断すると（ステップＳ８４；Ｙｅｓ）、ステップＳ８５に進み、無いと判断すると（ステップＳ８４；Ｎｏ）、ステップＳ８６に進む。
【００８３】
ステップＳ８３において、ＣＰＵ１０１は、指定された仮想メインチャンネルＶＭ（即ち、ユーザの入力したメインチャンネルＵＭ）を、選局する仮想メインチャンネルＶＭと決定するとともに、指定された仮想サブチャンネルＶＳ（即ち、ユーザの入力したサブチャンネルＶＳ）を、選局する仮想サブチャンネルＶＳと決定し、本処理を終了する。
ステップＳ８５において、ＣＰＵ１０１は、指定された仮想メインチャンネルＶＭ（即ち、ユーザの入力したメインチャンネルＵＭ）を、選局する仮想メインチャンネルＶＭと決定するとともに、仮想サブチャンネルＶＳを１パートであるとして設定せず、本処理を終了する。
ステップＳ８６において、ＣＰＵ１０１は、指定された仮想メインチャンネルＶＭ（即ち、ユーザの入力したメインチャンネルＵＭ）を、選局する仮想メインチャンネルＶＭと決定するとともに、当該仮想メインチャンネルＶＭで受信するＴＳ内の最小の仮想サブチャンネルＶＳを、選局する仮想サブチャンネルＶＳと決定して、本処理を終了する。
【００８４】
ステップＳ８７において、ＣＰＵ１０１は、チャンネルマップに、仮想サブチャンネルＶＳ＝ユーザの入力したサブチャンネルＵＳの、仮想サブチャンネルＶＳが有るか否かを判断する。ＣＰＵ１０１は、ステップＳ８７において、ＶＳ＝ＵＳのＶＳが有ると判断すると（ステップＳ８７；Ｙｅｓ）、ステップＳ８８に進み、無いと判断すると（ステップＳ８７；Ｎｏ）、ステップＳ８９に進む。
ステップＳ８９において、ＣＰＵ１０１は、受信するＴＳの最小の仮想メインチャンネルＶＭに１パートチャンネルが有るか否かを判断する。ＣＰＵ１０１は、ステップＳ８９において、受信ＴＳの最小の仮想メインチャンネルＶＭに１パートチャンネルが有ると判断すると（ステップＳ８９；Ｙｅｓ）、ステップＳ９０に進み、無いと判断すると（ステップＳ８９；Ｎｏ）、ステップＳ９１に進む。
【００８５】
ステップＳ８８において、ＣＰＵ１０１は、受信するＴＳ内の最小の仮想メインチャンネルＶＭを、選局する仮想メインチャンネルＶＭと決定するとともに、当該仮想メインチャンネルＶＭで受信するＴＳ内の指定された仮想サブチャンネルＶＳを、選局する仮想サブチャンネルＶＳと決定して、本処理を終了する。
ステップＳ９０において、ＣＰＵ１０１は、受信するＴＳ内の最小の仮想メインチャンネルＶＭを、選局する仮想メインチャンネルＶＭと決定するとともに、仮想サブチャンネルＶＳを１パートであるとして設定せず、本処理を終了する。
ステップＳ９１において、ＣＰＵ１０１は、受信するＴＳ内の最小の仮想メインチャンネルＶＭを、選局する仮想メインチャンネルＶＭと決定するとともに、当該仮想メインチャンネルＶＭで受信するＴＳ内の最小の仮想サブチャンネルＶＳを、選局する仮想サブチャンネルＶＳと決定して、本処理を終了する。
【００８６】
上記実施形態の放送受信機１００によれば、チャンネルメモリ１０４（記憶手段）により、受信可能なチャンネルの物理チャンネルと仮想メインチャンネルと仮想サブチャンネルとが記憶され、ＣＰＵ１０１によるキー入力プログラム１０５ａ（キー入力手段）の実行により、仮想メインチャンネルのみを入力することによりチャンネルを指定する第１チャンネル情報と、仮想メインチャンネルと仮想メインチャンネルと仮想サブチャンネルとを分離する所定の記号とを入力することによりチャンネルを指定する第２チャンネル情報と、仮想メインチャンネルと所定の記号と仮想サブチャンネルとして「０」とを入力することによりチャンネルを指定する第３チャンネル情報と、仮想メインチャンネルと所定の記号と仮想サブチャンネルとして「０」以外の数字とを入力することによりチャンネルを指定する第４チャンネル情報と、の入力が受け付けられ、決定プログラム１０５ｄ（決定手段）の実行により、チャンネルメモリ１０４（記憶手段）を用いて、キー入力プログラム１０５ａ（キー入力手段）の実行により入力された第１〜第４チャンネル情報に対応するチャンネルが決定される。また、デジタル放送のチャンネルには、仮想メインチャンネルのみの指定により選局する１パートチャンネルと、仮想メインチャンネルと仮想サブチャンネルの指定により選局する２パートチャンネルとが含まれており、決定プログラム１０５ｄ（決定手段）の実行により、キー入力部９（キー入力手段）により、第１チャンネル情報又は第３チャンネル情報が入力された場合、２パートチャンネルよりも１パートチャンネルが優先的に選局されるとともに、第２チャンネル情報又は第４チャンネル情報が入力された場合、１パートチャンネルよりも２パートチャンネルが優先的に選局される。
即ち、キー入力部９により、仮想メインチャンネルのみが入力された場合、又は、仮想メインチャンネルと所定の記号と仮想サブチャンネルとして「０」が入力された場合には、デジタル放送の２パートチャンネルよりも１パートチャンネルの方をユーザが所望していると考えられるため、デジタル放送の１パートチャンネルが、デジタル放送の２パートチャンネルに対して優先的に選局される。一方、キー入力部９により、仮想メインチャンネルと所定の記号とが入力された場合、又は、仮想メインチャンネルと所定の記号と仮想サブチャンネルとして「０」以外の数字とが入力された場合、デジタル放送の１パートチャンネルよりも２パートチャンネルの方をユーザが所望していると考えられるため、デジタル放送の２パートチャンネルが、デジタル放送の１パートチャンネルに対して優先的に選局されることとなる。したがって、ユーザの入力に対して、ユーザの希望するチャンネル選局をより好適に行うことができる放送受信機を提供することができる。
【００８７】
また、ＣＰＵ１０１による物理チャンネル設定プログラム１０５ｂの実行により、キー入力プログラム１０５ａ（キー入力手段）により入力された第１〜第４チャンネル情報に対応するチャンネルがチャンネルメモリ１０４（記憶手段）に記憶されている場合には、当該対応するチャンネルの物理チャンネルが選局する物理チャンネルとして設定されるとともに、キー入力プログラム１０５ａ（キー入力手段）により入力された第１〜第４チャンネル情報に対応するチャンネルがチャンネルメモリ１０４（記憶手段）に記憶されていない場合には、キー入力プログラム１０５ａ（キー入力手段）により入力された第１〜第４チャンネル情報の仮想メインチャンネルが選局する物理チャンネルとして設定される。また、更新プログラム１０５ｃの実行により、物理チャンネル設定プログラム１０５ｂの実行により設定された物理チャンネルが選局され、取得されたチャンネルの仮想メインチャンネルと仮想サブチャンネルに基づいてチャンネルメモリ１０４（記憶手段）が更新される。
したがって、ユーザの入力に対して、ユーザの希望するチャンネル選局がより好適に行われることとなる。
【００８８】
さらに、決定プログラム１０５ｄの実行により、キー入力部９（キー入力手段）により第３チャンネル情報が入力された場合、デジタル放送のチャンネルよりもアナログ放送のチャンネルが優先的に選局される。
即ち、仮想メインチャンネルと所定の記号と仮想サブチャンネルとしての０が入力された場合には、アナログ放送のチャンネルが、デジタル放送のチャンネルに対して優先的に選局される。したがって、ユーザの入力に対して、ユーザの希望するチャンネル選局がより好適に行われることとなる。
【００８９】
なお、本発明は、上記実施の形態に限られることなく、本発明の趣旨を逸脱しない範囲において種々の改良並びに設計の変更を行っても良い。
例えば、放送受信機は、上記実施形態の中で例示したケーブルテレビジョン放送の方式に対応するものに限られず、各地域の採用する各種の放送方式に対応する放送受信機であって良い。
【図面の簡単な説明】
【００９０】
【図１】実施形態１における放送受信機の要部構成を例示するブロック図である。
【図２】チャンネルメモリのチャンネルマップを例示する図である。
【図３】第１チャンネル情報が入力された場合に実行される物理チャンネル決定処理を示すフローチャートである。
【図４】第２チャンネル情報が入力された場合に実行される物理チャンネル決定処理を示すフローチャートである。
【図５】第３チャンネル情報が入力された場合に実行される物理チャンネル決定処理を示すフローチャートである。
【図６】第４チャンネル情報が入力された場合に実行される物理チャンネル決定処理を示すフローチャートである。
【図７】更新プログラムの実行において受信したＶＣＴを例示する図である。
【図８】更新プログラムの実行により更新されたチャンネルメモリのチャンネルマップを例示する図である。
【図９】ＴＳＭが「Ｎ」である場合に実行される選局チャンネル決定処理を示すフローチャートである。
【図１０】ＴＳＭが「Ａ」である場合に実行される選局チャンネル決定処理を示すフローチャートである。
【図１１】ＴＳＭが「ＮＡ」である場合に実行される選局チャンネル決定処理を示すフローチャートである。
【図１２】ＴＳＭが「ＡＮ」である場合に実行される選局チャンネル決定処理を示すフローチャートである。
【図１３】ＴＳＭが「ＢＡ」である場合に実行される選局チャンネル決定処理を示すフローチャートである。
【図１４】ＴＳＭが「ＢＡ」である場合に実行される選局チャンネル決定処理を示すフローチャートである。
【符号の説明】
【００９１】
１００    放送受信機
９        キー入力部（キー入力手段）
１０１    ＣＰＵ（キー入力手段、物理チャンネル設定手段、更新手段、決定手段）
１０４    チャンネルメモリ（記憶手段）
１０５ａ  キー入力プログラム（キー入力手段）
１０５ｂ  物理チャンネル設定プログラム（物理チャンネル設定手段）
１０５ｃ  更新プログラム（更新手段）
１０５ｄ  決定プログラム（決定手段）
【図１】
0005115155.tif 000002
【図２】
0005115155.tif 000003
【図３】
0005115155.tif 000004
【図４】
0005115155.tif 000005
【図５】
0005115155.tif 000006
【図６】
0005115155.tif 000007
【図７】
0005115155.tif 000008
【図８】
0005115155.tif 000009
【図９】
0005115155.tif 000010
【図１０】
0005115155.tif 000011
【図１１】
0005115155.tif 000012
【図１２】
0005115155.tif 000013
【図１３】
0005115155.tif 000014
【図１４】
0005115155.tif 000015